(57)【特許請求の範囲】
【請求項１】
横断面を略コ字状として略直角に曲折された取付板と支持板を有する縦長の基枠体と、
該基枠体の該取付板に固定され、該基枠体の内側に位置する錠軸にカム部材を取り付けてなるシリンダ錠と、
該基枠体の該支持板の上部と下部に傾動可能に枢支され、パチンコ機の本体枠側に固定された受け金具に係止されて該パチンコ機の前面枠を施錠する一方、シリンダ錠による該カム部材の一方向への回動に連係して解錠動作する前面枠鉤部材と、
該基枠体の該取付板に設けた開口部から該パチンコ機の正面側に向けて突き出すと共に傾動可能に枢支され、該パチンコ機のガラス枠側に設けられたガラス枠受け金具に係止されて該ガラス枠を施錠する一方、該シリンダ錠による該カム部材の他方向への回動に連係して解錠動作するガラス枠鉤部材と、
を備えたパチンコ機の施錠装置であって、
１本の前面枠兼ガラス枠解錠用作動杆が前記基枠体の支持板に沿って摺動可能に且つ前記カム部材と係合可能に配設され、該前面枠兼ガラス枠解錠用作動杆には、前記シリンダ錠による該カム部材の一方向への回動時に該前面枠兼ガラス枠解錠用作動杆が摺動したとき、前記前面枠鉤部材の係合部と係合して該前面枠鉤部材を解錠側に傾動させるための係合部が設けられ、該カム部材の他方向への回動時に該前面枠兼ガラス枠解錠用作動杆が摺動したとき、前記ガラス枠鉤部材の係合部と係合して該ガラス枠鉤部材を解錠側に傾動させるための係合部が設けられ、
該前面枠兼ガラス枠施錠用作動杆は、該基枠体の該支持板の外側に摺動可能に支持される一方、該前面枠鉤部材と該ガラス枠鉤部材は、該支持板の内側に傾動可能に枢支され、
該前面枠鉤部材と該ガラス枠鉤部材は、三角形頭部を有すると共に係合凹部を中間部に有してフック状に形成される一方、該支持板に対し元部を枢軸により回動可能に枢支され、
該前面枠鉤部材と該ガラス枠鉤部材には該元部の該枢軸の回りに凹部が設けられ、該凹部内に各々トーションばねが収納され、該各トーションばねにより該前面枠鉤部材及び該ガラス枠鉤部材が各々施錠方向に付勢されることを特徴とするパチンコ機の施錠装置。
【請求項２】
前記カム部材近傍の前記前面枠兼ガラス枠施錠用作動杆にロック部材が回動可能に枢支され、該ロック部材には該カム部材に係合可能なカム係合部が設けられると共に、係止部が前記基枠体の支持板側に突出して形成され、該支持板には該ロック部材の係止部が係止される係止凹部が設けられ、施錠状態で該ロック部材の係止部が該支持板の係止凹部に嵌入し、該前面枠兼ガラス枠施錠用作動杆がロック部材により該支持板に対しロックされることを特徴とする請求項１記載のパチンコ機の施錠装置。
【発明の詳細な説明】
【技術分野】
【０００１】
本発明は、パチンコ機の前面枠を本体枠に対し施錠すると共に、前面枠に開閉可能に取り付けられたガラス枠を、前面枠に対し施錠するパチンコ機の施錠装置に関する。
【背景技術】
【０００２】
パチンコ機の前面枠を本体枠に対し施錠する施錠装置として、断面略Ｌ字状の取付板と支持板からなる基枠体の内側に、連結杆が摺動可能に配設され、支持板の上部と下部に鉤部材が連結杆に連結されて傾動可能に枢支され、取付板の中間部にシリンダ錠がその錠軸を取付板に設けた孔から内側に差込むように固定され、錠軸の先端に連結杆と係合するカム部材が固定されてなる施錠装置が、従来、使用されていた。
【０００３】
従来のパチンコ機の前面枠内には、金枠が取付けられ、その金枠の上部に盤面を覆うガラス枠が開閉可能に取付けられていたが、この種の施錠装置には、ガラス枠を施錠する施錠するガラス枠用施錠具は設けられてなく、単にガラス枠用施錠具を解錠するための作動片付き作動杆が、施錠装置の基枠体内に設けられ、シリンダ錠によるカム部材の回動によりその作動杆を摺動させる機構が設けられるのみであった。
【０００４】
このため、ガラス枠用施錠具を別個に前面枠の内側に取り付ける必要があり、その際の取付作業に多くの工数がかかると共に、施錠装置側の作動片をガラス枠用施錠具側の受け具にあわせるよう、位置調整を行なう必要があり、取付時の調整作業にも多くの作業工数がかかる問題があった。
【特許文献１】特開平７−２０４３３７号公報
【特許文献２】特開２００４−２６７６４３号公報
【発明の開示】
【発明が解決しようとする課題】
【０００５】
そこで、従来、上記特許文献１などにおいて、１つの基枠体内に前面枠用の施錠装置とガラス枠用の施錠装置を組み込んだ施錠装置が提案された。この施錠装置は、支持板の外側の上部と下部に、ガラス枠施錠用の鉤部材を傾動可能に枢支し、両鉤部材をガラス枠施錠用の連結杆により連結すると共に、シリンダ錠の錠軸に固定したカム部材の係合部の一方をそのガラス枠施錠用連結杆に係合させ、カム部材の他方の係合部を前面枠施錠用の連結杆に係合させる構造であった。従来のこの種の施錠装置は、１つの基枠体内に前面枠施錠用の連結杆とガラス枠施錠用の連結杆の両方が摺動可能に配設される構造のため、構造が複雑化し、部品点数も多くなる課題があった。
【０００６】
そこで、上記特許文献２などにおいて、基枠体内に１本の解錠用作動杆を摺動可能に配設し、この解錠用作動杆の上摺動または下摺動によりガラス枠の解錠と前面枠の解錠の両方を行う構造の施錠装置が提案されている。この施錠装置は、基枠体内にガラス枠用の係止孔を設けたガラス枠施錠用摺動片を摺動可能に配設すると共に、ガラス枠側に係止爪を内側に向けて突設し、基枠体の支持板の上部と下部に前面枠施錠用鉤部材を摺動可能に配設する。
【０００７】
そして、基枠体内に１本の解錠用作動杆を摺動可能に配設し、基枠体の内側に錠軸を挿入するように取り付けられたシリンダ錠の錠軸先端にカム部材を固定し、そのカム部材の回動時に解錠用作動杆に係合させて解錠用作動杆を摺動させ、解錠用作動杆の一方向への移動時に前面枠施錠用鉤部材に係合してそれを前面枠の解錠方向に摺動させ、その解錠用作動杆の他方向への移動時にガラス枠施錠用摺動片に係合してそれをガラス枠の解錠方向へ摺動させる構造としている。
【０００８】
しかし、この施錠装置は、基枠体内に摺動可能に配設された１本の解錠用作動杆により前面枠とガラス枠の両方を選択的に解錠操作することができるものの、２個のガラス枠施錠用摺動片と２個の前面枠施錠用鉤部材の各々を施錠方向に付勢するために、４本のコイルばねを基枠体との間に掛け渡して装着しており、これらのコイルばねの部品点数が増大するという不具合があり、さらに、これらのコイルばねが製品の輸送途中或は点検時などに、振動などによって施錠装置から外れる虞があった。
【０００９】
また、施錠装置が実際にパチンコ機の前面枠の自由端の内側に取り付けられて使用される場合、自由端側の本体枠と前面枠との隙間から針金などの不正器具が差し込まれることがあり、前面枠の隙間と基枠体の内側間が比較的接近しているため、針金などの不正器具が差し込まれて基枠体の内側のコイルばねに到達した場合、針金の先端をコイルばねに引っかけてコイルばねを外され、ガラス枠や前面枠が不正に解錠される虞があった。
【００１０】
本発明は、上記の課題を解決するためになされたもので、施錠方向への付勢手段としてのコイルばねを不使用とすることによって、不正解錠を防止することができるパチンコ機の施錠装置を提供することを目的とする。
【課題を解決するための手段】
【００１１】
上記目的を達成するために、本発明の請求項１のパチンコ機の施錠装置は、
横断面を略コ字状として略直角に曲折された取付板と支持板を有する縦長の基枠体と、
該基枠体の該取付板に固定され、該基枠体の内側に位置する錠軸にカム部材を取り付けてなるシリンダ錠と、
該基枠体の該支持板の上部と下部に傾動可能に枢支され、パチンコ機の本体枠側に固定された受け金具に係止されて該パチンコ機の前面枠を施錠する一方、シリンダ錠による該カム部材の一方向への回動に連係して解錠動作する前面枠鉤部材と、
該基枠体の該取付板に設けた開口部から該パチンコ機の正面側に向けて突き出すと共に傾動可能に枢支され、該パチンコ機のガラス枠側に設けられたガラス枠受け金具に係止されて該ガラス枠を施錠する一方、該シリンダ錠による該カム部材の他方向への回動に連係して解錠動作するガラス枠鉤部材と、
を備えたパチンコ機の施錠装置であって、
１本の前面枠兼ガラス枠解錠用作動杆が前記基枠体の支持板に沿って摺動可能に且つ前記カム部材と係合可能に配設され、該前面枠兼ガラス枠解錠用作動杆には、前記シリンダ錠によるカム部材の一方向への回動時に該前面枠兼ガラス枠解錠用作動杆が摺動したとき、前記前面枠鉤部材の係合部と係合して該前面枠鉤部材を解錠側に傾動させるための係合部が設けられ、該カム部材の他方向への回動時に該前面枠兼ガラス枠解錠用作動杆が摺動したとき、前記ガラス枠鉤部材の係合部と係合して該ガラス枠鉤部材を解錠側に傾動させるための係合部が設けられ、
該前面枠兼ガラス枠施錠用作動杆は、該基枠体の該支持板の外側に摺動可能に支持される一方、該前面枠鉤部材と該ガラス枠鉤部材は、該支持板の内側に傾動可能に枢支され、
該前面枠鉤部材と該ガラス枠鉤部材は、三角形頭部を有すると共に係合凹部を中間部に有してフック状に形成される一方、該支持板に対し元部を枢軸により回動可能に枢支され、
該前面枠鉤部材と該ガラス枠鉤部材には該元部の該枢軸の回りに凹部が設けられ、該凹部内に各々トーションばねが収納され、該各トーションばねにより該前面枠鉤部材及び該ガラス枠鉤部材が各々施錠方向に付勢されることを特徴とする。
【００１４】
ここで、上記パチンコ機の施錠装置においては、カム部材近傍の前面枠兼ガラス枠施錠用作動杆にロック部材が回動可能に枢支され、ロック部材にはカム部材に係合可能なカム係合部が設けられると共に、係止部が基枠体の支持板側に突出して形成され、支持板にはロック部材の係止部が係止される係止凹部が設けられ、施錠状態でロック部材の係止部が支持板の係止凹部に嵌入し、前面枠兼ガラス枠施錠用作動杆がロック部材により支持板に対しロックされる構成とすることができる。
【発明の効果】
【００１５】
上記構成のパチンコ機の施錠装置は、前面枠を本体枠に対し閉じると、前面枠鉤部材が本体枠側の受け金具に当り傾動（回動）して係止され、施錠状態となる。前面枠鉤部材は、その内側に配設したトーションばねにより付勢され、トーションばねは枢軸の回りに装着され且つ鉤部材の元部に覆われて露出しない。このため、針金などの不正器具によってばねが外れる虞はなく、不正解錠を効果的に防止することができる。
【００１６】
前面枠を解錠する場合は、キーによってシリンダ錠を回し、カム部材を回転させ、カム部材が前面枠兼ガラス枠解錠用作動杆を前面枠の解錠方向に摺動させる。このとき、前面枠兼ガラス枠解錠用作動杆が係合部を介して前面枠鉤部材を解錠方向に傾動（回動）させる。これにより、本体枠の受け金具と前面枠鉤部材との係合が外れ、前面枠は解錠される。前面枠兼ガラス枠解錠用作動杆を基枠体の支持板の外側に摺動可能に配設した場合、前面枠の自由端側の隙間から針金などの不正器具が挿入されても、支持板が障壁となって前面枠兼ガラス枠解錠用作動杆には到達せず、一層不正解錠を防止することができる。
【００１７】
一方、ガラス枠を閉じると、基枠体の取付板の開口部から突出するガラス枠鉤部材が、ガラス枠の内側の受け金具に係止され、ガラス枠は施錠状態となる。ガラス枠鉤部材は、上記前面枠鉤部材と同様、その内側に配設したトーションばねにより付勢され、トーションばねは枢軸の回りに装着され且つ鉤部材の元部に覆われて露出しない。このため、針金などの不正器具によってばねが外れる虞はなく、不正解錠を効果的に防止することができる。
【００１８】
ガラス枠を解錠する場合は、シリンダ錠のキーを逆方向に回して、カム部材を同方向に回動させ、カム部材が前面枠兼ガラス枠解錠用作動杆を前面枠の解錠時とは反対方向に摺動させる。これにより、前面枠兼ガラス枠解錠用作動杆が係合部を介してガラス枠鉤部材を解錠方向に傾動させる。これにより、ガラス枠鉤部材とガラス枠の受け金具との係合が外れ、ガラス枠は解錠される。
【００１９】
このように、前面枠鉤部材とガラス枠鈎部材がその内側に配設したトーションばねにより付勢される構成としたから、コイルばねは不要となると共に、コイルばね外しによる不正解錠や輸送中などのコイルばねの外れをなくすことができる。
【発明を実施するための最良の形態】
【００２０】
以下、本発明の実施例を図面に基づいて説明する。図１はパチンコ機の施錠装置の右側面図を、図２はその左側面図を、図３はその背面図を各々示し、図４はその分解図を示している。この施錠装置の基枠体１は、横断面を略コ字状としたチャンネル材状に縦長に形成され、そこには取付板２と支持板３が略直角に曲折して一体成形され、取付板２の正面視で右側の縁部に折曲縁部２４が高さの低い壁部として形成されている。
【００２１】
支持板３の上部と下部に、前面枠鉤部材４，５用の枢支部が少し幅広に形成され、下側の枢支部の上部寄りに位置する支持板、つまりシリンダ錠９に隣接する支持板は、分割支持板３ａとして分割形成されている。図４に示すように、支持板３の上下の枢支部の内側に、前面枠鉤部材４，５が枢支ピン４１，５１を介して枢支され、水平姿勢から下側に所定角度傾動可能である。
【００２２】
さらに、支持板３の上部と中間部及び下部には、ガラス枠鉤部材６，７，８が正面側を向けて水平に、各々枢支ピン６１，７１，８１を介して枢支される。これらのガラス枠鉤部材６，７，８は、図３、１０に示すように、取付板２の対応部分に形成した開口部２１，２２，２３を通して、そのガラス枠鉤部材６，７，８の先端側半分を基枠体１の正面側に水平に突き出し、水平姿勢から上側に所定角度傾動可能に、枢支ピン６１，７１，８１によって軸支されている。
【００２３】
図９、図１０に示すように、前面枠鉤部材４，５とガラス枠鉤部材６，７，８は、各々その凹部４２，５２，６２，７２，８２の内側に、トーションばね４５，５５、６５，７５，８５が装着され、それらのばねにより、各鉤部材は施錠方向に付勢されている。
【００２４】
一方、取付板２の下部の上寄り位置には、シリンダ錠９を内側から挿入して固定するために、異形状の開口部が形成され、その開口部の上部と下部にねじ止め用のねじ孔が形成され、シリンダ錠９はその開口部を内側から通し、そのフランジ９ａをねじ孔部分にねじ止めして取り付けられる。
【００２５】
上記のように、支持板３の上部と下部の枢支部には、各々前面枠鉤部材４，５が支持板３の内側に、水平姿勢で且つ下方に傾動（回動）可能に、その元部を枢支ピン（枢軸）４１，５１により枢支される。前面枠鉤部材４，５は、図５に示すように、三角形頭部を有しその中間部に係合凹部を有して、フック状に形成される。また、前面枠鉤部材４，５の元部の末端には、係合部４３，５３が内側に突出するように曲げて形成され、この係合部４３，５３は、前面枠鉤部材４，５の装着時、支持板３の所定位置に形成された開口部３２，３４に挿通され、支持板３の外側に僅かに突出する。
【００２６】
さらに、前面枠鉤部材４，５の元部内側には、円形の凹部４２，５２が枢支ピン４１，５１用の孔を中心に形成され、その右寄りに開口部４４，５４が形成されている。その凹部４２，５２内には、図９のように、トーションばね４５，５５が枢支ピン４１，５１の回りに装着され、トーションばね４５，５５の一方の端部は、開口部４４，５４の縁部に掛止され、他方の端部は開口部４４、５４から突き出し、鉤部材４，５の装着時、支持板３側の掛止部９１，９３に掛止される。
【００２７】
これにより、上下の前面枠鉤部材４，５は、図９のように、トーションばね４５，５５によって水平姿勢から上方（施錠側）に付勢され、水平状態で前面枠鉤部材４，５の係合部４３，５３が開口部３２，３４の縁部に当接して静止する。また、図１２に示すように、前面枠鉤部材４，５の係合部４３，５３は、支持板３の開口部３２，３４から外側に突出しており、その先端を、後述の前面枠兼ガラス枠解錠用作動杆１２の係合部９５，９７が、その上側摺動時に係合可能となっている。よって、前面枠兼ガラス枠解錠用作動杆１２の上方への移動により、前面枠鉤部材４，５はその末端の係合部４３，５３を押されて下方に傾動し、解錠動作が行われる。
【００２８】
上記のように、基枠体１の内側の上端部、中間部下寄り、及び下端部に、ガラス枠鉤部材６，７，８が図４の如く、水平姿勢に支持され、水平位置より上方に傾動可能である。この３本のガラス枠鉤部材６，７，８は、何れも、図７、図８に示すように、三角形頭部を有しその中間部に係合凹部を有して、フック状に形成され、支持板３の内側の所定位置に、鉤状の先端部を正面側に突き出すように支持されている。また、ガラス枠鉤部材６、７，８の元部の末端に、係合部６３，７３，８３が内側に突出するように曲げて形成され、この係合部６３，７３，８３は、ガラス枠鉤部材６，７，８が支持板３の内側に装着される時、支持板３の所定位置に形成された開口部３１、３３，３５に挿通され、支持板３の外側に僅かに突出する。
【００２９】
さらに、図７、図８に示すように、ガラス枠鉤部材６，７，８の元部内側には、円形の凹部６２，７２，８２が枢支ピン６１，７１、８１用の孔を中心に形成され、その右寄りに開口部６４，７４，８４が形成されている。さらに、その凹部６２，７２、８２内には、図８、図１０のように、トーションばね６５，７５，８５が枢支ピン６１，７１、８１の回りに装着され、トーションばね６５，７５，８５の一方の端部は、開口部６４，７４，８４の縁部に掛止され、他方の端部は開口部３１、３３、３５から突き出し、ガラス枠鉤部材６，７，８の装着時、支持板３側の掛止部９０、９２，９４に掛止される。
【００３０】
ガラス枠鉤部材６，７，８は、通常時、図２のように、その先端の鉤部を下向きにして、取付板２の開口部２１，２２，２３（図３）から前方に突き出すように支持されている。そして、ガラス枠鉤部材６，７，８における支持板３の外側に僅かに突き出した係合部６３，７３，８３に対し、前面枠兼ガラス枠解錠用作動杆１２の係合部９４，９６，９８がその下方への摺動時に係合可能であり、前面枠兼ガラス枠解錠用作動杆１２が下方に摺動したとき、係合部９４，９６，９８が下方に動かされ、ガラス枠鉤部材６，７，８は、図１３のように、上側に傾動し、ガラス枠が解錠される。
【００３１】
前面枠兼ガラス枠解錠用作動杆１２は、図４に示すように、帯状金属板により形成され、基枠体１の支持板３の外側で上下摺動可能に配設される。前面枠兼ガラス枠解錠用作動杆１２の上部、中間部、下部には、各々ガイド孔９０，９１，９２が形成され、ガイドピン１１ａ〜１１ｃが各ガイド孔９０〜９２に挿通され、それらの先端が支持板３に固定される。これにより、前面枠兼ガラス枠解錠用作動杆１２は、ガイドピン１１ａ〜１１ｃとガイド孔９０〜９２を介して所定の幅で上下動可能である。
【００３２】
さらに、前面枠鉤部材４，５に対応した前面枠兼ガラス枠解錠用作動杆１２の幅広位置に、係合部９５，９７が凹部の縁部として形成され、前面枠兼ガラス枠解錠用作動杆１２が上側に摺動したとき、係合部９５，９７が前面枠鉤部材４，５の末端の係合部４３，５３（支持板３の外側に突き出した部分）に係合し、前面枠鉤部材４，５を下側に傾動させ、前面枠を解錠する。また、上述のように、前面枠兼ガラス枠解錠用作動杆１２の上端部と中間部下寄りと下端部に、つまりガラス枠鉤部材６，７，８の係合部６３，７３，８３に対応した位置に係合部９４，９６，９８が形成され、前面枠兼ガラス枠解錠用作動杆１２の下側への摺動時にその係合部９４，９６，９８が鉤部材の係合部６３、７３，８３に係合し、ガラス枠鉤部材６，７，８を上側に傾動させ、ガラス枠を解錠する。
【００３３】
図４に示すように、前面枠兼ガラス枠解錠用作動杆１２の下部における係合部９７の少し上方位置に、シリンダ錠９のカム部材１０が係合するための係合部９３が形成される。この係合部９３は、カム部材１０の両方向への回動時に係合可能となるように、上下の凹部の中間部に形成される。
【００３４】
図４に示すように、取付板２の下部寄りの分割支持板３ａに対応した位置に、シリンダ錠９がその錠軸を取付板２の開口部から基枠体１の内側に挿入するように、そのフランジ９ａをねじで固定して取り付けられる。図３に示すように、シリンダ錠９の錠軸には第一係合部１０ａと第二係合部１０ｂを両側に設けた形状のカム部材１０が固定される。
【００３５】
図３の反時計方向にカム部材１０を回動させた場合、カム部材１０の第一係合部１０ａは前面枠兼ガラス枠解錠用作動杆１２の係合部９３に係合し、前面枠兼ガラス枠解錠用作動杆１２を上方に摺動させ、前面枠鉤部材４，５の末部の係合部４３、５３を上方に押して前面枠鉤部材４，５を下方に傾動させ、前面枠を解錠する構造である。
【００３６】
一方、図３の時計方向にカム部材１０を回動させた場合、カム部材１０の第二係合部１０ｂは前面枠兼ガラス枠解錠用作動杆１２の係合部９３に係合し、前面枠兼ガラス枠解錠用作動杆１２を下方に摺動させ、ガラス枠鉤部材６，７，８を上方に傾動させ、ガラス枠を解錠する構造である。
【００３７】
上記構成のパチンコ機の施錠装置は、図１１に示す如く、パチンコ機の本体枠１７に開閉可能に装着された前面枠１８の内側における矩形開口部の縁部に、シリンダ錠９の先端を前面に露出させ、基枠体１の背面つまり前面枠鉤部材４，５を本体枠側に向けた姿勢で、取付板２を用いて縦に取付けられる。
【００３８】
一方、本体枠１７の内側の前面枠鉤部材４，５に対応した上下位置には、受け金具１７ａ，１７ｂが固定される。さらに、ガラス枠（ガラスを嵌め込んだ扉）１９が前面枠１８の前面にヒンジを介して開閉可能に取付けられ、そのガラス枠１９の自由端部内側に、ガラス枠鉤部材６，７，８が係止可能な受け金具１９ａ，１９ｂ，１９ｃがガラス枠鉤部材６，７，８に対応した位置に設けられる。
【００３９】
パチンコ機における前面枠１８を本体枠１７に対し閉じると、支持板３の上部と下部の前面枠鉤部材４，５が、本体枠１７側の受け金具１７ａ，１７ｂに当って一旦下方に傾動し、トーションばね４５、５５の付勢力により戻って係止され、図１１に示すような施錠状態となる。このとき、前面枠鉤部材４，５は、各々が独立して傾動可能に枢支され、トーションばね４５，５５の付勢力に抗して傾動するのみであるから、前面枠１８を閉じた際、非常に小さい力で軽く前面枠鉤部材４，５を傾動させて施錠することができる。
【００４０】
また、施錠した状態では、各前面枠鉤部材４，５は独立して傾動するから、針金などを前面枠１８の隙間に差し込んで行なわれる不正解錠に対しては、何れか一方の鉤部材を針金などで引っ掛けて、解錠方向に傾動させても、他方の鉤部材は解錠方向に動くことはないため、この種の不正解錠を防止することができる。
【００４１】
さらに、前面枠兼ガラス枠解錠用作動杆１２が支持板３の外側に配置されているため、前面枠１８の自由端側の隙間から挿入される針金などの不正器具に対し、支持板３が障壁となって、この種の針金などの不正器具を用いた不正解錠を防止することができる。さらに、前面枠鉤部材４，５のトーションばね４５，５５は、鉤部材の凹部４２，５２内に覆われた状態で収納されるため、針金などでばねを外すことは不可能となり、これによっても不正解錠を防止することができる。
【００４２】
前面枠１８を解錠する場合は、キーによってシリンダ錠９を回し、カム部材１０を図３の反時計方向に回転させると、カム部材１０の第一係合部１０ａが前面枠兼ガラス枠解錠用作動杆１２の係合部９３と係合してこれを上方へ摺動させる。このとき、前面枠兼ガラス枠解錠用作動杆１２の係合部９５，９７が前面枠鉤部材４，５の係合部４３，５３を押し、前面枠鉤部材４，５をトーションばね４５，５５の付勢力に抗して下方に傾動させる。この前面枠鉤部材４，５の傾動によって、本体枠の受け金具１７ａ，１７ｂとの係合が外れ、前面枠１８は開放可能な状態となる。
【００４３】
一方、ガラス枠１９を前面枠１８に対し閉じると、ガラス枠１９の内側に配設された受け金具１９ａ，１９ｂ，１９ｃが、ガラス枠鉤部材６，７，８を上方に傾動させながら、ガラス枠１９が閉じられ、各鉤部材に装着されたトーションばね６５，７５，８５の付勢力により、ガラス枠鉤部材６，７，８が元の水平位置に戻り、図１１のように、ガラス枠鉤部材６，７，８が受け金具１９ａ，１９ｂ，１９ｃに係止され、ガラス枠１９は施錠状態となる。
【００４４】
この場合も、ガラス枠鉤部材６，７，８は、各々が独立してトーションばね６５，７５，８５の付勢力に抗して傾動するのみであるから、ガラス枠１９を閉じた際、受け金具１９ａ，１９ｂ，１９ｃは非常に小さい力でガラス枠鉤部材６，７，８に軽く係止され、施錠されることとなる。また、各ガラス枠鉤部材６，７，８は独立して傾動可能とされるため、針金などによって３本のガラス枠鉤部材６，７，８を全て解錠側に同時に傾動させることは不可能であり、針金などによる不正解錠を防止することができる。
【００４５】
ガラス枠１９を解錠する場合は、シリンダ錠９に差し込んだキーを左方向に回して、カム部材１０を図３時計方向へ回動させると、カム部材１０の第二係合部８ｂが前面枠兼ガラス枠解錠用作動杆１２の係合部９３と係合してこれを下方へ摺動させる。このとき、前面枠兼ガラス枠解錠用作動杆１２の係合部９４，９６，９８がガラス枠鉤部材６，７，８の係合部６３，７３，８３に係合して、ガラス枠鉤部材６，７，８を上側に傾動させる。この動作によって、ガラス枠１９の受け金具１９ａ，１９ｂ，１９ｃとガラス枠鉤部材６，７，８との係合が外れ、ガラス枠１９は開放される。
【００４６】
このように、１本の前面枠兼ガラス枠解錠用作動杆１２が基枠体１の支持板３に沿って摺動可能に配設されるだけであるから、従来の前面枠解錠用作動杆とガラス枠解錠用作動杆の両方を基枠体内に摺動可能に備えた施錠装置に比べ、部品点数を削減できる共に、それらのガイド構造なども１本の作動杆のみとなって、構造を簡単化することができる。
【００４７】
また、前面枠鉤部材４，５とガラス枠鉤部材６，７，８は、その元部の枢軸の回りに形成された凹部に収納した各トーションばね４５，５５，６５，７５，８５により付勢されるため、外部にコイルばねを装着する必要がなく、コイルばねを針金などの不正器具により外す不正解錠やコイルばねが輸送途中などに外れる不具合を防止することができる。
【００４８】
さらに、前面枠鉤部材４，５とガラス枠鉤部材６，７，８は、施錠時、独立してばねの付勢力に抗して傾動するのみであるから、前面枠またはガラス枠を閉じた際、非常に小さい力で軽く鉤部材を傾動させて施錠することができる。
【００４９】
図１４〜図２１は他の実施形態を示し、この例では、前面枠兼ガラス枠解錠用作動杆１５にロック部材１６が取り付けられ、施錠状態においてその上下動をロックし、針金などの不正器具によって前面枠兼ガラス枠解錠用作動杆１５が不正に解錠側に移動できない構造としている。なお、上記実施形態と同じ部材については、図中に上記と同じ符号を付してその説明を省略する。
【００５０】
図１６、図１７に示すように、前面枠兼ガラス枠解錠用作動杆１５におけるカム部材１０に隣接する部分、つまり作動杆１５のカム係合部１５ａの背面側であって、分割支持板３３ａに対向した部分に、ロック部材１６が枢軸１６ａを軸にして回動可能に軸支されている。ロック部材１６は図１８のように、略Ｌ形に形成され、上部の角部に軸孔を有し、末端両側にシリンダ錠９のカム部材１０と係合する係合部１６ｄを設け、上部先端に係止部１６ｃを設けて形成される。
【００５１】
一方、固定側の分割支持板３３ａには、ロック部材１６の係止部１６ｃが施錠時に係止される係止凹部３３ｂが設けられ、さらに、解錠時つまりロック部材１６がカム部材１０の回動により傾動したとき、その係止部１６ｃが係止凹部３３ｂを離脱して進入するための開口部３３ｃ、３３ｄが分割支持板３３ａ上に係止凹部３３ｂと連続して形成されている。係止凹部３３ｂは、分割支持板３３ａの一部を外側に円弧状に曲折して形成され、ロック部材１６の係止部１６ｃを収容可能な形状と広さを持って形成されている。
【００５２】
図１７に示すように、ロック部材１６は、前面枠兼ガラス枠解錠用作動杆１５における分割支持板３３ａに対向した部分に枢軸１６ａを介して傾動可能に軸支されるが、その枢軸１６ａにはトーションばね１６ｂが外嵌され、トーションばね１６ｂの一端が作動杆１５に掛止され、他端がロック部材１６の一部に掛止される。これにより、ロック部材１６は、施錠時、その係止部１６ｃを係止凹部３３ｂに入れて係止された状態で静止し、解錠時にカム部材１０が時計方向または反時計方向に回動した際、トーションばね１６ｂの付勢力に抗して、ロック部材１６はその先端の係止部１６ｃを開口部３３ｃ又は開口部３３ｄに入れるように回動する。
【００５３】
なお、図１７に示すように、前面枠兼ガラス枠解錠用作動杆１５におけるロック部材１６の係止部１６ｃに対応した部分には、ロック部材１６側に突き出すように、押え部１５ｂが形成される。施錠状態において、押え部１５ｂは、ロック部材１６の係止部１６ｃを係止凹部３３ｂ側に押さえ、前面枠兼ガラス枠解錠用作動杆１５の上方摺動と下方摺動の両方向について、確実にロックがかかるようにしている。
【００５４】
このように、ロック部材１６は、施錠状態で、その係止部１６ｃを係止凹部３３ｂに入れ係止された状態とすることにより、前面枠兼ガラス枠解錠用作動杆１５が上方移動と下方移動を阻止されるようにロックする。一方、キーによる解錠操作により、カム部材１０が回動してロック部材１６が傾動し、その先端の係止部１６ｃが開口部３３ｃまたは３３ｄに逃げたとき、前面枠兼ガラス枠解錠用作動杆１５のロックが解除され、前面枠兼ガラス枠解錠用作動杆１５は移動可能となる。
【００５５】
次に、上記構成の施錠装置の動作を説明すると、前面枠とガラス枠が共に施錠状態にあるとき、図１７、図１９に示すように、前面枠兼ガラス枠解錠用作動杆１５は中立の静止状態にある。このとき、ロック部材１６は、その係止部１６ｃを分割支持板３３ａの係止凹部３３ｂ内に嵌入した状態であり、これにより、前面枠兼ガラス枠解錠用作動杆１５はロック部材１６を介して分割支持板３３ａに係止された状態となる。
【００５６】
よって、前面枠兼ガラス枠解錠用作動杆１５は上方への移動（前面枠の解錠側）と下方への移動（ガラス枠の解錠側）を阻止され、両側の解錠方向に摺動することができず、ロックされた状態を保持する。したがって、針金などの不正器具を前面枠の隙間から差し込み、前面枠兼ガラス枠解錠用作動杆１５を不正器具により上方または下方に移動させようとしても移動せず、前面枠或はガラス枠を不正に解錠する不正解錠を防止することができる。
【００５７】
前面枠を解錠するために、シリンダ錠に差し込んだキーを右に回すと、カム部材１０が図１７の反時計方向に回動し、カム部材１０の第１係合部１０ａが、前面枠兼ガラス枠解錠用作動杆１５のカム係合部１５ａとロック部材１６の係合部１６ｄに係合して上方に回動する。このとき、ロック部材１６は、図２０のように、枢軸１６ａを軸に図の反時計方向に回動し、その係止部１６ｃを係止凹部３３ｂから開口部３３ｃに入れるように回動する。これにより、ロック部材１６のロックが解除され、前面枠兼ガラス枠解錠用作動杆１５は、そのカム係合部１５ａをカム部材１０の第１係合部１０ａにより押し上げられ、上方に摺動し、これによって上記と同様に、前面枠鉤部材４，５が下側に傾動し、前面枠が解錠する。
【００５８】
一方、ガラス枠を解錠するために、シリンダ錠に差し込んだキーを左に回すと、カム部材１０が図１７の時計方向に回動し、カム部材１０の第２係合部１０ｂが、前面枠兼ガラス枠解錠用作動杆１５のカム係合部１５ａとロック部材１６の係合部１６ｄに係合して下方に回動する。このとき、ロック部材１６は、図２１のように、枢軸１６ａを軸に図の時計方向に回動し、その係止部１６ｃを係止凹部３３ｂから開口部３３ｄに入れるように回動する。これにより、ロック部材１６のロックが解除され、前面枠兼ガラス枠解錠用作動杆１５は、そのカム係合部１５ａをカム部材１０の第２係合部１０ｂにより押し下げられ、下方に摺動し、これによって上記と同様に、ガラス枠鉤部材６，７，８が上側に傾動し、ガラス枠が解錠される。
【図面の簡単な説明】
【００５９】
【図１】本発明の一実施形態を示す施錠装置の右側面図である。
【図２】その左側面図である。
【図３】その背面図である。
【図４】その分解右側面図である。
【図５】前面枠鉤部材の右側面図である。
【図６】前面枠鉤部材とトーションばねの背面図である。
【図７】ガラス枠鉤部材の右側面図である。
【図８】ガラス枠鉤部材とトーションばねの背面図である。
【図９】前面枠鉤部材の拡大図である。
【図１０】ガラス枠鉤部材の拡大図である。
【図１１】施錠装置の使用状態を示す右側面図である。
【図１２】前面枠鉤部材を傾動させ、前面枠を解錠する状態の左側面図である。
【図１３】ガラス枠鉤部材を傾動させ、ガラス枠を解錠する状態の左側面図である。
【図１４】他の実施形態の施錠装置を示す拡大部分左側面図である。
【図１５】同装置の拡大部分右側面図である。
【図１６】同装置の拡大部分背面図である。
【図１７】同装置の拡大部分背面図である。
【図１８】ロック部材の正面図（ａ）と平面図（ｂ）と左側面図（ｃ）である。
【図１９】施錠状態のロック部材周辺の部分拡大斜視図である。
【図２０】前面枠鉤部材を解錠した状態の同部分拡大斜視図である。
【図２１】ガラス枠鉤部材を解錠した状態の同部分拡大斜視図である。
【符号の説明】
【００６０】
１−基枠体
２−取付板
３−支持板
４、５−前面枠鉤部材
４１，５１−枢支ピン
４２，５２−凹部
４３，５３−係合部
４５，５５−トーションばね
６，７、８−ガラス枠鉤部材
６１，７１，８１−枢支ピン
６２，７２，８２−凹部
１２−前面枠兼ガラス枠解錠用作動杆
９４〜９８−係合部
９−シリンダ錠
１０−カム部材
１７−本体枠
１８−前面枠
１９−ガラス枠
１７ａ，１７ｂ−受け金具
１９ａ，１９ｂ，１９ｃ−受け金具
【図１】
0004739888.tif 000002
【図２】
0004739888.tif 000003
【図３】
0004739888.tif 000004
【図４】
0004739888.tif 000005
【図５】
0004739888.tif 000006
【図６】
0004739888.tif 000007
【図７】
0004739888.tif 000008
【図８】
0004739888.tif 000009
【図９】
0004739888.tif 000010
【図１０】
0004739888.tif 000011
【図１１】
0004739888.tif 000012
【図１２】
0004739888.tif 000013
【図１３】
0004739888.tif 000014
【図１４】
0004739888.tif 000015
【図１５】
0004739888.tif 000016
【図１６】
0004739888.tif 000017
【図１７】
0004739888.tif 000018
【図１８】
0004739888.tif 000019
【図１９】
0004739888.tif 000020
【図２０】
0004739888.tif 000021
【図２１】
0004739888.tif 000022